(57)【要約】【課題】簡便な手動操作でボビン糸巻が開始され、ボビンに糸が巻回されて所定の径になったとき自動的にボビン糸巻が終了するミシンの糸巻装置の構造を簡素化する。【解決手段】糸巻ユニット４８は、支持台５０に揺動自在に枢着され、糸巻軸部３２の手動揺動に応じて糸巻軸部でミシン縫製時揺動位置Ｘに揺動され又はボビン糸巻時揺動位置Ｙに揺動されるモード切換アーム７４と、支持台に揺動自在に枢着され、糸巻軸部の手動揺動に応じてミシン縫製時揺動位置又はボビン糸巻時揺動位置でクラッチ４４をそれぞれ連結状態及び非連結状態に切換える切換クラッチアーム５４とを備えている。【選択図】図３
0003148341.tif 000002
【実用新案登録請求の範囲】
【請求項１】
機枠に装着されるミシンモータから動力が伝達されるプーリー及び針を上下動させるための上軸をミシン縫製時に連結状態又はボビン糸巻時に非連結状態にそれぞれ切換えるクラッチと、ボビンを機枠上部に装着可能であって下部にゴム輪を軸承し、前記機枠に装着される支持台に植設された枢軸に、縫製モードとなるミシン縫製時揺動位置及び糸巻モードとなるボビン糸巻時揺動位置に揺動自在に枢着された糸巻軸部を前記非連結状態で前記ゴム輪と前記プーリーとの接触により回転させ前記ボビンに糸巻を行う糸巻ユニットとを設け、
前記糸巻ユニットは、前記支持台に揺動自在に枢着され、前記糸巻軸部の手動揺動に応じて前記糸巻軸部で前記ミシン縫製時揺動位置に揺動され又は前記ボビン糸巻時揺動位置に揺動されるモード切換アームと、前記支持台に揺動自在に枢着され、前記糸巻軸部の手動揺動に応じて前記ミシン縫製時揺動位置又は前記ボビン糸巻時揺動位置で前記クラッチをそれぞれ前記連結状態及び前記非連結状態に切換える切換クラッチアームとを備えることを特徴とするミシンの糸巻装置。
【請求項２】
前記糸巻軸部により前記ミシン縫製時揺動位置又は前記ボビン糸巻時揺動位置に揺動されたとき、前記糸巻軸部及び前記支持台間に、各位置を保持する状態保持スプリングを設けたことを特徴とする請求項１記載のミシンの糸巻装置。
【請求項３】
前記クラッチを前記非連結状態に保持するクラッチアームスプリングを設けたことを特徴とする請求項１記載のミシンの糸巻装置。
【請求項４】
前記糸巻軸部により前記ボビン糸巻時揺動位置に移行されたとき、前記ボビン糸巻モードに設定し、前記ミシンモータをボビン糸巻速度で駆動するための縫製／糸巻モード切換スイッチを有することを特徴とする請求項１記載のミシンの糸巻装置。
【請求項５】
前記ボビンに糸が巻回されて所定の径になったときボビン押えによって前記モード切換アームを揺動して前記ミシンモータを停止させる糸巻停止スイッチを有することを特徴とする請求項４記載のミシンの糸巻装置。
【請求項６】
前記切換クラッチアーム及び前記ボビン押えを前記ボビン糸巻時揺動位置にボビンに巻かれる糸を押える方向で弾撥するモード切換アームスプリングを設けたことを特徴とする請求項１記載のミシンの糸巻装置。
【請求項７】
モータコントローラの踏み込みで前記ミシンモータの回転数を可変するステップと、前記モータコントローラの踏み込みを所定時間維持することにより以後の前記モータコントローラの踏み込みに無関係に前記ミシンモータの回転数を保持するステップと、前記モータコントローラの踏み込みを解除して再度踏み込むことにより前記ミシンモータを停止するステップとを有する制御回路を備えることを特徴とする請求項１記載のミシンの糸巻装置。
【考案の詳細な説明】
【技術分野】
【０００１】
本考案は、ミシンの糸巻装置に関し、特に、構造が簡素化され、簡便な手動操作で縫製モードと糸巻モードの一方から他方に容易に切換ることができて、ボビン糸巻が開始され、ボビンに糸が巻回されて所定の径になったとき自動的にボビン糸巻が終了するミシンの糸巻装置に係る。
【背景技術】
【０００２】
従来から、本縫（ロックステッチ）ミシンで半回転又は全回転釜（シャトル）を使用する場合に、釜に内装されるボビンに縫糸の糸巻を予め行なう作業が必須である。
【０００３】
この作業を行なうにあたり、一般的に、本縫ミシンにはボビンに糸巻する糸巻装置が設けられている。
【０００４】
この従来例として、ミシンモータからタイミングベルトにより動力が伝達されるプ―リー及び針を上下動させるための上軸を連結状態又は非連結状態に切換えるクラッチを備え、ボビンをアーム上部に装着し、下部にゴム輪を軸承する糸巻軸を非連結状態でゴム輪がプ―リーに接触して回転又は逆転させボビン糸巻を行う糸巻装置が知られている（例えば、特許文献１−４参照）。
【０００５】
【特許文献１】特開平７−２７５５４９号公報
【特許文献２】特開平７−３２８２６５号公報
【特許文献３】特開平８−１１２４７７号公報
【特許文献４】特開２００８−２９３８１号公報
【考案の開示】
【考案が解決しようとする課題】
【０００６】
しかしながら、このような糸巻装置では、ミシンを縫製モードと糸巻モード間で切換るための構造が複雑であるという難点がある。
【０００７】
本考案は、このような難点を解消するためになされたものであって、その目的は、構造が簡素化され、簡便な手動操作で縫製モードと糸巻モード間で容易に切換ることができて、ボビン糸巻が開始され、ボビンに糸が巻回されて所定の径になったとき自動的にボビン糸巻が終了するミシンの糸巻装置を提供せんとするものである。
【課題を解決するための手段】
【０００８】
この目的を達成するために、本考案のミシンの糸巻装置は、機枠に装着されるミシンモータから動力が伝達されるプーリー及び針を上下動させるための上軸をミシン縫製時に連結状態又はボビン糸巻時に非連結状態にそれぞれ切換えるクラッチと、ボビンを機枠上部に装着可能であって下部にゴム輪を軸承し、機枠に装着される支持台に植設された枢軸に、縫製モードとなるミシン縫製時揺動位置及び糸巻モードとなるボビン糸巻時揺動位置に揺動自在に枢着された糸巻軸部を非連結状態でゴム輪とプーリーとの接触により回転させボビン糸巻を行う糸巻ユニットとを設け、糸巻ユニットは、支持台に揺動自在に枢着され、糸巻軸部の手動揺動に応じて糸巻軸部でミシン縫製時揺動位置に揺動され又はボビン糸巻時揺動位置に揺動されるモード切換アームと、支持台に揺動自在に枢着され、糸巻軸部の手動揺動に応じてミシン縫製時揺動位置又はボビン糸巻時揺動位置でクラッチをそれぞれ連結状態及び非連結状態に切換える切換クラッチアームとを備えている。
【０００９】
本考案のミシンの糸巻装置は、糸巻軸部によりミシン縫製時揺動位置又はボビン糸巻時揺動位置に揺動されたとき、糸巻軸部及び支持台間に、各位置を保持する状態保持スプリングを設けている。
【００１０】
本考案のミシンの糸巻装置は、糸巻軸部によりボビン糸巻時揺動位置に移行されたとき、ボビン糸巻モードに設定し、ミシンモータをボビン糸巻速度で駆動するための縫製／糸巻モード切換スイッチを有する。
【００１１】
本考案のミシンの糸巻装置は、ボビンに糸が巻回されて所定の径になったときボビン押えによってモード切換アームを揺動してミシンモータを停止させる糸巻停止スイッチを有する。
【００１２】
本考案のミシンの糸巻装置は、クラッチを非連結状態に保持するクラッチアームスプリングを設けている。
【００１３】
本考案のミシンの糸巻装置において、切換クラッチアーム及びボビン押えをボビン糸巻時揺動位置にボビンに巻かれる糸を押える方向で弾撥するモード切換アームスプリングを設けたものである。
【００１４】
本考案のミシンの糸巻装置は、モータコントローラの踏み込みでミシンモータの回転数を可変するステップと、モータコントローラの踏み込みを所定時間維持することにより以後のモータコントローラの踏み込みに無関係にミシンモータの回転数を保持するステップと、モータコントローラの踏み込みを解除して再度踏み込むことによりミシンモータを停止するステップとを有する制御回路を備えている。
【考案の効果】
【００１５】
このように構成されたミシンの糸巻装置によれば、構造が簡素化され、簡便な手動操作で縫製モードと糸巻モード間で容易に切換ることができて、ボビン糸巻が開始され、ボビンに糸が巻回されて所定の径になったとき自動的にボビン糸巻が終了する。
【考案を実施するための最良の形態】
【００１６】
以下、本考案のミシンの糸巻装置をその好ましい実施の形態例について図面を参照して説明する。
【００１７】
図１〜図３において、ミシンは、アーム１とベッド３からなる機枠Ｆで形成されている。
【００１８】
アーム１には、ミシンモータＭから動力が伝達されるプーリー５及び針２を上下動させるための上軸４２が設けられている。
【００１９】
上軸４２には、アーム１から外方に露出して手動回転させるためのはずみ車５６が固定されている。
【００２０】
針２は、針板４上で押え金Ｐで挟持された縫製体（図示せず）に、送り歯６で歩進させながらベッド３内に配置されている釜（図示せず）と協働して縫目を形成する。このミシンの構造及びその動作は特許第３９６３９３９号公報に開示されているので、その詳細は説明を省略する。
【００２１】
本考案によるミシンの糸巻装置８はアーム１上に設けられている。
【００２２】
糸巻装置８は、機枠Ｆに装着されるミシンモータＭから動力がタイミングベルト２５で伝達されるプーリー５及び針２を上下動させるための上軸４２をミシン縫製時に連結状態又はボビン糸巻時に非連結状態にそれぞれ切換えるクラッチ４４と、ボビン３４を機枠Ｆのアーム１上部に装着可能であって下部にゴム輪４６を軸承し、機枠Ｆのアーム１に装着される支持台５０に植設された枢軸５０ａに、縫製モードとなるミシン縫製時揺動位置Ｘ（図２、図７（Ａ））及び糸巻モードとなるボビン糸巻時揺動位置Ｙ（図２、図７（Ｂ））に揺動自在に枢着された糸巻軸部３２を非連結状態でゴム輪４６とプーリー５との接触により回転させボビン糸巻を行う糸巻ユニット４８とを設けている。
【００２３】
上軸４２にははずみ車５６が固定されている（図４）。はずみ車５６はクラッチ４４を介してプーリー５に連結されている。クラッチ４４は、開孔部６４ａと、外周端部に設けた溝６４ｂと、外周に設けた係止溝６４ｃとを有するクラッチ切換リング６４を備えている。開孔部６４ａにはクラッチスプリング６２が嵌合され、その両端の外向きの係止爪６２ａ、内向きの係止爪６２ｂは、クラッチ切換リング６４の溝６４b、はずみ車５６のボス部５６ａに設けられた係止溝５６ｂにそれぞれ係止されている。はずみ車５６はそのボス部５６ａがクラッチスプリング６２の半分の内周に嵌合されている。プーリー５のボス部５ａはクラッチスプリング６２の半分の内周に嵌合されている。
【００２４】
ゴム輪４６を軸承している糸巻軸部３２はモード切換部材３０を介して枢軸５０ａで支持台５０に揺動自在に枢着され、ボビン３４を駆動する回転止めバネ３１を有する糸巻軸３３を備えている。
【００２５】
糸巻ユニット４８は、支持台５０に揺動自在に枢着され、糸巻軸部３２の手動揺動に応じて糸巻軸部３２でミシン縫製時揺動位置Ｘに揺動され又はボビン糸巻時揺動位置Ｙに揺動されるモード切換アーム７４と、支持台５０に揺動自在に枢着され、糸巻軸部３２の手動揺動に応じてミシン縫製時揺動位置Ｘ又はボビン糸巻時揺動位置Ｙでクラッチ４４をそれぞれ連結状態及び非連結状態に切換える切換クラッチアーム５４とを備えている。
【００２６】
切換クラッチアーム５４は支持台５０に枢動自在に軸支され、その爪５４ａがミシン縫製時揺動位置Ｘ又はボビン糸巻時揺動位置Ｙでクラッチ切換リング６４の係止溝６４ｃにそれぞれ離反または係合する。
【００２７】
モード切換アーム７４は糸巻停止軸７５に固定され、糸巻停止軸７５は支持台５０に枢動自在に軸支されている。また、モード切換アーム７４は糸巻軸部３２に係合するカム７４ａ、７４ｂを有し、糸巻軸部３２がミシン縫製時揺動位置Ｘに揺動されたとき糸巻軸部３２のモード切換部材３０の軸受部３０aがカム７４ａに当接し、モード切換部材３０のアーム片３０ｂが切換クラッチアーム５４の従動プレート５４ｂを押圧し、爪５４ａをクラッチ切換リング６４の係止溝６４ｃから離反させる。一方、ボビン糸巻時揺動位置Ｙに揺動されたとき糸巻軸部３２のモード切換部材３０の軸受部３０aがカム７４ｂに当接し、モード切換部材３０のアーム片３０ｂが切換クラッチアーム５４の従動プレート５４ｂから離れ、クラッチアームスプリング８０の弾撥によって爪５４ａをクラッチ切換リング６４の係止溝６４ｃに係合する。
【００２８】
ミシンの糸巻装置８は、糸巻軸部３２によりミシン縫製時揺動位置Ｘ又はボビン糸巻時揺動位置Ｙに揺動されたとき、糸巻軸部３２及び支持台５０間に、各位置を保持する状態保持スプリング７８を設けている。
【００２９】
本考案のミシンの糸巻装置８は、支持台５０のバネ掛け５０ｃと切換クラッチアーム５４のバネ掛け５４ｃとの間に、クラッチ４４を非連結状態に保持するクラッチアームスプリング８０を設けている。
【００３０】
本考案のミシンの糸巻装置８は、糸巻軸部３２によりボビン糸巻時揺動位置Ｙに移行されたとき、ボビン糸巻モードに設定し、ミシンモータＭをボビン糸巻速度で駆動するための縫製／糸巻モード切換（リミット）スイッチ７０を有する。
【００３１】
本考案のミシンの糸巻装置８は、ボビン３４に糸が巻回されて所定の径になったときボビン押え７２によってモード切換アーム７４を揺動してアーム片７４ｃでミシンモータＭを停止させる糸巻停止（リミット）スイッチ７１を有する。
【００３２】
本考案のミシンの糸巻装置８において、切換クラッチアーム５４及びボビン押え７２をボビン糸巻時揺動位置Ｙにボビンに巻かれる糸を押える方向で弾撥するモード切換アームスプリング８１を設けている。
【００３３】
本考案のミシンの糸巻装置８は、モータ制御装置９０のモータコントローラ１１の踏み込みでミシンモータＭの回転数を可変するステップと、モータコントローラ１１の踏み込みを所定時間維持することにより以後のモータコントローラ１１の踏み込みに無関係にミシンモータＭの回転数を保持するステップと、モータコントローラ１１の踏み込みを解除して再度踏み込むことによりミシンモータＭを停止するステップとを有する制御回路９１を備えている（図５）。
【００３４】
モータ制御装置９０は、モータコントローラ１１、縫製／糸巻モード切換（リミット）スイッチ７０、糸巻停止（リミット）スイッチ７１が接続された制御回路（ＣＰＵ）９１によりモータ駆動回路９２を介してミシンモータＭを駆動制御する。制御回路（ＣＰＵ）９１は上記のステップを含むシステムプログラムとミシンモータＭを駆動制御するためのデータを格納するＲＯＭと、制御に必要なデータを随時格納するＲＡＭとを備えている。
【００３５】
このように構成されたミシンの糸巻装置８において、その動作手順を図６を参照して説明する。
【００３６】
いま、釜（図示せず）に装着されているボビン３４に糸２０が無くなったときは、これを補充するためにモータコントローラ１１の踏む込みを停止しミシンモータＭを回転停止させ、ボビン３４を釜から取り出す。
【００３７】
次に、ボビン３４を糸巻軸３３に装着し、糸２０を巻かれているスプール２１から糸案内２２ａ、２２ｂ、２２ｃを介してボビン３４に巻き付ける。
【００３８】
糸巻軸部３２を手動揺動してボビン糸巻時揺動位置Ｙに位置決めすると（図２、図７（Ｂ））、糸巻軸部３２のモード切換部材３０の軸受部３０aがカム７４ｂに当接し、モード切換部材３０のアーム片３０ｂが切換クラッチアーム５４の従動プレート５４ｂから離れ、クラッチアームスプリング８０の弾撥により爪５４ａをクラッチ切換リング６４の係止溝６４ｃに係合可能とし、切換クラッチアーム５４でクラッチ４４を非連結状態に切換える。同時に、ゴム輪４６がプーリー５に接触する。
【００３９】
また、糸巻軸部３２を手動揺動してボビン糸巻時揺動位置Ｙに位置決めすると、縫製／糸巻モード切換（リミット）スイッチ７０により糸巻モードに切換え、ミシンモータＭを動作可能とする。モータコントローラ１１のペダルの踏み込みでモータ制御装置９０の制御回路９１によりミシンモータＭの回転がタイミングベルト２５で伝達されるプーリー５でゴム輪４６が回転される。なお、ミシンモータＭの初期回転により上記の切換クラッチアーム５４でクラッチ４４を非連結状態に切換えることを確実にする。この場合、制御回路９１によりモータ駆動回路９２を介してミシンモータＭはボビン糸巻速度で駆動される。
【００４０】
モータコントローラ１１のペダルの踏み込みを所定時間、例えば２秒以上維持することにより以後のモータコントローラ１１の踏み込みに無関係にミシンモータＭの回転数を保持する。ペダルの踏み込みが所定時間、例えば２秒未満の場合は、ミシンモータＭは停止する。
【００４１】
また、ミシンモータＭの回転数を保持している状態でモータコントローラ１１のペダルの踏み込みを解除して再度踏み込むことによりミシンモータＭは停止する。
【００４２】
ボビン３４に糸２０が巻回されて所定の径になったときボビン押え７２によってモード切換アーム７４をモード切換アームスプリング８１の弾撥に抗して揺動させ、アーム片７４ｃで糸巻停止（リミット）スイッチ７１をＯＦＦさせミシンモータＭを停止させる。
【００４３】
次に、糸巻軸部３２を手動揺動してミシン縫製時揺動位置Ｘに位置決めすると（図７（Ａ））、糸巻軸部３２のモード切換部材３０の軸受部３０aがカム７４ａに当接し、モード切換部材３０のアーム片３０ｂが切換クラッチアーム５４の従動プレート５４ｂを押圧し、爪５４ａをクラッチ切換リング６４の係止溝６４ｃから離反するので、切換クラッチアーム５４でクラッチ４４を連結状態に切換える。同時に、ゴム輪４６がプーリー５から離反する。
【００４４】
また、糸巻軸部３２を手動揺動することにより縫製／糸巻モード切換（リミット）スイッチ７０によりミシン縫製モードに切換えてモータコントローラ１１の踏み込みで制御回路９１によりモータ駆動回路９２を介してミシンモータＭを駆動する。
【００４５】
このように本考案のミシンの糸巻装置によれば、構造が簡素化され、簡便な手動操作で縫製モードと糸巻モード間で容易に切換ることができて、ボビン糸巻が開始され、ボビンに糸が巻回されて所定の径になったとき自動的にボビン糸巻が終了する。
【図面の簡単な説明】
【００４６】
【図１】本考案に使用可能の１本糸錠縫化ハンドステッチミシンと糸巻装置を示す概略斜視図である。
【図２】本考案によるミシンの糸巻装置を示す概略斜視図である。
【図３】本考案によるミシンの糸巻装置を示す分解斜視図である。
【図４】本考案によるミシンの糸巻装置を示す断面図である。
【図５】本考案によるミシンの糸巻装置を動作させるモータ制御装置のブロック図である。
【図６】本考案によるミシンの糸巻装置の動作手順を示すフロー図である。
【図７】（Ａ）、（Ｂ）は本考案によるミシンの糸巻装置の縫製／糸巻モード切換状態を示す平面図である。
【符号の説明】
【００４７】
Ｍ・・・ミシンモータ
Ｆ・・・機枠
Ｘ・・・ミシン縫製時揺動位置
Ｙ・・・ボビン糸巻時揺動位置
５・・・プーリー
２・・・針
１１・・・モータコントローラ
３２・・・糸巻軸部
３４・・・ボビン
４２・・・上軸
４４・・・クラッチ
４６・・・ゴム輪
４８・・・糸巻ユニット
５０・・・支持台
５０ａ・・・枢軸
５４・・・切換クラッチアーム
７０・・・縫製／糸巻モード切換スイッチ
７１・・・糸巻停止スイッチ
７２・・・ボビン押え
７４・・・モード切換アーム
７８・・・状態保持スプリング
８０・・・クラッチアームスプリング
８１・・・モード切換アームスプリング
９０・・・モータ制御装置
９１・・・制御回路
９２・・・モータ駆動回路
【図１】
0003148341.tif 000003
【図２】
0003148341.tif 000004
【図３】
0003148341.tif 000005
【図４】
0003148341.tif 000006
【図５】
0003148341.tif 000007
【図６】
0003148341.tif 000008
【図７】
0003148341.tif 000009